(57)【要約】      （修正有）【課題】コスト低減を図った軟性フラットケーブルを提供する。【解決手段】軟性フラットケーブル２は、第一絶縁層１０、導線層２０、第二絶縁層３０、第一金属遮蔽層５０、少なくとも一つの第一金属板４０、及び、第三絶縁層６０を備える。導線層は、複数の金属導線が間隔を隔てて、第一絶縁層上に設置される。第二絶縁層は導線層上に設置され、導線層両端を露出させる。第一金属遮蔽層は、第一絶縁層の下表面に設置される。第一金属板は、第一金属遮蔽層の少なくとも一端の下表面に設置される。第三絶縁層は、一部の第一金属遮蔽層の下表面を被覆する。第一金属板を第一金属遮蔽層の少なくとも一端の下表面に設置することにより、接地と補強板の作用を達成し、この他、金属連接部１００は、外部のレシーバに直接挿入することができ、別にプラスチックコネクタを必要としないので、コストが抑えられる。【選択図】図３
0003163437.tif 000002
【実用新案登録請求の範囲】
【請求項１】
軟性フラットケーブルであって、
第一絶縁層と、
複数の金属導線が、間隔を隔てて、前記第一絶縁層上に設置される導線層と、
前記導線層上に設置され、前記導線層の両端を露出させる第二絶縁層と、
前記第一絶縁層の下表面に設置される第一金属遮蔽層と、
前記第一金属遮蔽層の少なくとも一端の下表面に設置される少なくとも一つの第一金属板と、
一部の前記第一金属遮蔽層の下表面を被覆する第三絶縁層と
を備えることを特徴とする軟性フラットケーブル。
【請求項２】
更に、第二金属遮蔽層と第四絶縁層を有し、前記第二金属遮蔽層は、前記第二絶縁層上に設置され、前記第四絶縁層は、前記第二金属遮蔽層上に設置されることを特徴とする請求項１に記載の軟性フラットケーブル。
【請求項３】
前記第二金属遮蔽層の材料は、導電銀ペースト、又は、導電カーボンペーストを含むことを特徴とする請求項２に記載の軟性フラットケーブル。
【請求項４】
前記第四絶縁層の材料は、PETを含むことを特徴とする請求項２又は３に記載の軟性フラットケーブル。
【請求項５】
更に、金属連接部を有し、前記金属連接部が前記第四絶縁層の少なくとも一端と前記第一金属板とをカバーし、前記金属連接部と露出した前記導線層は電気的に隔絶し、前記金属連接部は前記第一金属板に電気的に接続することを特徴とする請求項２から４の何れかの１項に記載の軟性フラットケーブル。
【請求項６】
前記金属連接部は、金属上カバーと金属下カバーを組み合わせてなることを特徴とする請求項５に記載の軟性フラットケーブル。
【請求項７】
前記金属連接部の前記金属下カバーと前記第一金属板は一体成型の素子であることを特徴とする請求項６に記載の軟性フラットケーブル。
【請求項８】
前記金属連接部は一体成型であることを特徴とする請求項５から７の何れかの１項に記載の軟性フラットケーブル。
【請求項９】
前記第一金属板に設置される前記金属連接部は低電圧差動信号（LVDS）コネクタであることを特徴とする請求項５から８の何れかの１項に記載の軟性フラットケーブル。
【請求項１０】
前記軟性フラットケーブルの特性抵抗は、実質上、１００オームであることを特徴とする請求項５から９の何れかの１項に記載の軟性フラットケーブル。
【請求項１１】
更に、少なくとも一つの第二金属板を有し、前記第二絶縁層の上表面に設置され、前記導線層の前記金属導線は、少なくとも一つの接地線を有し、前記接地線は湾曲して、前記第二金属板と電気的に接続することを特徴とする請求項１に記載の軟性フラットケーブル。
【請求項１２】
前記第一絶縁層、前記第二絶縁層、及び、前記第三絶縁層の材料は、PETを含むことを特徴とする請求項１から１１の何れかの１項に記載の軟性フラットケーブル。
【考案の詳細な説明】
【技術分野】
【０００１】
本考案は、軟性フラットケーブルに関するものであって、特に、接地と補強作用を有する金属板を備える軟性フラットケーブルに関するものである。
【背景技術】
【０００２】
電子科学技術の発展に伴い、各種電子製品が普及して、仕事や生活中に応用されている。各種電子製品中、軟性フラットケーブルは、大量に応用されて、信号伝送の経路となる。
【０００３】
実際の応用上、公知の軟性フラットケーブルは、一端に、補強板を設置し、プラスチックコネクタにより、この端をカバーして設置される。プラスチックコネクタ上に、接地装置を設置して、軟性フラットケーブルと電気的に接続する。相関業者、又は、研究開発者が研究開発を進め、少ない素子で上述の効果を達成し、製造コストを減少させ、市場競争力を高めている。
【考案の概要】
【考案が解決しようとする課題】
【０００４】
本考案は、軟性フラットケーブルを提供し、第一金属板を第一金属遮蔽層の少なくとも一端の下表面に設置することにより、接地と補強板の作用を達成し、この他、金属連接部は、外部のレシーバに直接挿入することができ、別にプラスチックコネクタを必要とせず、コストを抑えることを目的とする。
【課題を解決するための手段】
【０００５】
本考案の軟性フラットケーブルは、第一絶縁層、導線層、第二絶縁層、第一金属遮蔽層、少なくとも一つの第一金属板、及び、第三絶縁層を備える。導線層は、複数の金属導線が間隔を隔てて、第一絶縁層上に設置される。第二絶縁層は導線層上に設置され、導線層両端を露出させる。第一金属遮蔽層は、第一絶縁層の下表面に設置される。第一金属板は、第一金属遮蔽層の少なくとも一端の下表面に設置される。第三絶縁層は、一部の第一金属遮蔽層の下表面を被覆する。
【考案の効果】
【０００６】
本考案の軟性フラットケーブルは、第一金属板を第一金属遮蔽層の少なくとも一端の下表面に設置することにより、接地と補強板の作用を達成し、この他、金属連接部は、外部のレシーバに直接挿入することができ、別にプラスチックコネクタを必要としないので、コストが抑えられる。
【図面の簡単な説明】
【０００７】
【図１】本考案の一つの実施例による軟性フラットケーブルを示す図である。
【図２】本考案のもう一つの実施例による軟性フラットケーブルを示す図である。
【図３】本考案のもう一つの実施例による軟性フラットケーブルを示す図である。
【考案を実施するための形態】
【０００８】
図１は、本考案の一つ実施例による軟性フラットケーブル１の構造を示す図である。軟性フラットケーブル１は、第一絶縁層１０、導線層２０、第二絶縁層３０、第一金属遮蔽層５０、及び、少なくとも一つの第一金属板４０、及び、第三絶縁層６０を備える。導線層２０は、複数の金属導線が間隔を隔てて、第一絶縁層１０上に設置される。第二絶縁層３０は、導線層２０上に設置されて、導線層２０両端を露出させる。第一金属遮蔽層５０は、第一絶縁層１０の下表面に設置されて、電磁干渉とノイズ干渉を減少させ、第一金属遮蔽層５０は、導電カーボンペースト、又は、導電銀ペーストにより、スクリーン印刷で形成されるが、これに限定するものではなく、第一金属遮蔽層５０は、銅、又は、銀等の導電材質の金属片と第一絶縁層１０を貼合して形成してもよい。
【０００９】
第一金属板４０は、第一金属遮蔽層５０の少なくとも一端の下表面に設置され、第一金属板４０は金属材質で、これに限定されないが、銅かアルミニウムである。第三絶縁層６０は、一部の第一金属遮蔽層５０の下表面を被覆する。本考案の実施例による軟性フラットケーブル１の第一金属板４０は、外部の接地素子と連接して、接地の効果を達成するだけでなく、補強板となり、衝撃を緩衝し、この端で断裂が発生する機会を減少させる。この他、第一、第二第三絶縁層１０、３０、６０は絶縁材料で、これに限定されないが、ポリエチレン・テレフタレート（PET）である。第三絶縁層６０と第二絶縁層３０は、外部の粉塵、微粒等の汚染を阻止すると共に、摩損を防止する。
【００１０】
図２は、本考案のもう一つの実施例による軟性フラットケーブル１'を示す図で、更に、少なくとも一つの第二金属板７０を、第二絶縁層３０の上表面に設置している。導線層２０の複数の金属導線中、少なくとも一つの接地線２０１を含み、接地線２０１は湾曲して、第二金属板７０と電気的に接続して、接地の効果を達成する。第二金属板７０は、補強、断裂防止の効果を有し、第二金属板７０は金属材質で、これに限定されないが、銅かアルミニウムで、好ましくは、第二金属板７０上に、更に、もう一つの第三絶縁層６０'を設置すると共に、一部の接地線２０１を被覆する。
【００１１】
図３は、本考案のもう一つの実施例による軟性フラットケーブル２を示す図で、更に、第二金属遮蔽層８０と第四絶縁層９０を有し、第二金属遮蔽層８０は、第二絶縁層３０上に設置され、第四絶縁層９０は第二金属遮蔽層８０上に設置される。第二金属遮蔽層８０と第一金属遮蔽層５０は、電磁干渉とノイズ干渉を減少させ、第二金属遮蔽層８０は、導電カーボンペースト、又は、導電銀ペーストにより、スクリーン印刷で形成されるが、この限りではない。第二金属遮蔽層８０は、銅、又は、銀等の導電材質の金属片と第二絶縁層３０を貼合して形成してもよい。第四絶縁層９０の材料は、これに限定されないが、PETであり、本考案の軟性フラットケーブル２の第三絶縁層６０と第四絶縁層９０は、外部の粉塵や微粒等の汚染を阻止すると共に、摩損を防止する。
【００１２】
本考案の軟性フラットケーブル２は、更に、金属連接部１００を有し、第四絶縁層９０の少なくとも一端と第一金属板４０とをカバーし、金属連接部１００と露出した導線層２０は電気的に隔絶された状態で、且つ、金属連接部１００は、第一金属板４０と電気的に接続する。説明すべきことは、金属連接部１００は、金属上カバー１００１と金属下カバー１００２を組み合わせてなり、金属下カバー１００２は第一金属板４０と電気的に接続し、理解できることは、金属連接部１００の金属下カバー１００２と第一金属板４０は、一体成型の素子であるが、これに限定されず、金属連接部１００の金属上カバー１００１と金属下カバー１００２は一体成型構造でもよいことである。この他、金属連接部１００の構造は、別の素子のレシーバ（図示しない）に直接挿入することができ、軟性フラットケーブル２の第一金属板４０は、金属連接部１００により、レシーバの接地素子（図示しない）と電気的に接続して、接地の効果を達成する。これにより、公知の軟性フラットケーブルと比較すると、本考案の軟性フラットケーブル２は、別にプラスチックコネクタを設置する必要がなく、製造コストが減少する。別の実施例中、ANSI/TIA/EIA-644で定義される低電圧差動信号 (Low Voltage Differential Signal，LVDS)伝送界面の信号伝送線に対する基準を満たすために、軟性フラットケーブル２の特性抵抗は、実質上、１００オームで、この他、第一金属板４０に設置される金属連接部１００は、低電圧差動信号コネクタであり、電子装置の低電圧差動信号レシーバ（図示しない）の中に直接挿入することができる。
【００１３】
上述を総合すると、本考案の軟性フラットケーブルは、第一金属板を第一金属遮蔽層の少なくとも一端の下表面に設置することにより、接地と補強板の作用を達成し、この他、金属連接部は、外部のレシーバに直接挿入することができ、別にプラスチックコネクタを必要としないので、コストが抑えられる。
【００１４】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案登録請求の範囲で指定した内容を基準とする。
【符号の説明】
【００１５】
１、１'、２  軟性フラットケーブル
１０  第一絶縁層
２０  導線層
２０１  接地線
３０  第二絶縁層
４０  第一金属板
５０  第一金属遮蔽層
６０、６０'  第三絶縁層
８０  第二金属遮蔽層
９０  第四絶縁層
１００  金属連接部
１００１  金属上カバー
１００２  金属下カバー
【図１】
0003163437.tif 000003
【図２】
0003163437.tif 000004
【図３】
0003163437.tif 000005